(57)【要約】【課題】ポーション容器の蓋体の一部をより小さな外力で開封させてポーション容器の内容物を排出させることの可能な希釈用ボトル及び飲料提供装置を提供する。【解決手段】容器本体２と蓋体９とが容器本体２の環状の開口部に沿って延びた環状封止部６によって接合されたポーション容器１を蓋体９が下向きになる反転姿勢で支持可能な容器支持部１３と、環状封止部６の一部の開封に基づいて、容器本体２から流下する内容物を受け入れるべく容器支持部１３の下方に設けられた混合部１１Ｍとを備え、容器支持部１３がポーション容器１を蓋体９を介して支持するべく、環状封止部６の周方向に延びた支持面１４（１４Ａ）を有する希釈用ボトル１０とした。【選択図】図３
2015127207.tif 000002
【特許請求の範囲】
【請求項１】
容器本体と蓋体とが前記容器本体の環状の開口部に沿って延びた環状封止部によって接合されたポーション容器を前記蓋体が下向きになる反転姿勢で支持可能な容器支持部と、前記環状封止部の一部の開封に基づいて、前記容器本体から流下する内容物を受け入れるべく前記容器支持部の下方に設けられた混合部とを備えた希釈用ボトルであって、
前記容器支持部が、ポーション容器を前記蓋体を介して支持するべく、前記環状封止部の周方向に沿って延びた支持面を有する希釈用ボトル。
【請求項２】
ポーション容器の前記環状封止部の前記一部には、前記容器本体内の圧力上昇に基づいて最初に開封される分離部が形成されており、
前記開口部の前記分離部と対応する位置には径方向内側に窪んだ被係合凹部が設けられており、
前記容器支持部の内面には、前記被係合凹部と係合すべく径方向内側に突出した突起部が形成されており、
前記支持面は前記突起部に向かって下降する傾斜面を構成している請求項１に記載の希釈用ボトル。
【請求項３】
前記支持面に支持されたポーション容器の前記容器本体を前記容器支持部に押し付けるように加圧及び変形するための加圧部材を有している請求項１または２に記載の希釈用ボトル。
【請求項４】
前記容器支持部の上面と前記混合部とは、前記支持面の最も低い部位と対応するように設けられた上下連通路による連通状態にあり、
前記容器支持部の上面と前記混合部とは、前記上下連通路を除いて、横向きに延びた板状体によって遮蔽されている請求項１から３のいずれか一項に記載の希釈用ボトル。
【請求項５】
容器本体と蓋体とが前記容器本体の環状の開口部に沿って延びた環状封止部によって接合されたポーション容器を前記蓋体が下向きになる反転姿勢で支持可能な容器支持部と、前記環状封止部の一部の開封に基づいて、前記容器本体から流下する内容物を受けて混合する飲料提供装置であって、
前記容器支持部が、ポーション容器を前記蓋体を介して支持するべく、前記環状封止部の周方向に沿って延びた支持面を有する飲料提供装置。
【請求項６】
ポーション容器の前記環状封止部の前記一部には、前記容器本体内の圧力上昇に基づいて最初に開封される分離部が形成されており、
前記開口部の前記分離部と対応する位置には径方向内側に窪んだ被係合凹部が設けられており、
前記容器支持部の内面には、前記被係合凹部と係合すべく径方向内側に突出した突起部が形成されており、
前記支持面は前記突起部に向かって下降する傾斜面を構成している請求項５に記載の飲料提供装置。
【請求項７】
前記支持面に支持されたポーション容器の前記容器本体を前記容器支持部に押し付けるように加圧及び変形するための加圧部材を有している請求項５または６に記載の飲料提供装置。
【請求項８】
前記容器支持部の上面と前記混合部とは、前記支持面の最も低い部位と対応するように設けられた上下連通路による連通状態にあり、
前記容器支持部の上面と前記混合部とは、前記上下連通路を除いて、横向きに延びた板状体によって遮蔽されている請求項５から７のいずれか一項に記載の飲料提供装置。
【請求項９】
水または温水を前記容器支持部の下方に向かって供給する希釈液供給機構を有する請求項５から８のいずれか一項に記載の飲料提供装置。
【発明の詳細な説明】
【技術分野】
【０００１】
本発明は、容器本体と蓋体とが容器本体の環状の開口部に沿って延びた環状封止部によって接合されたポーション容器を反転姿勢で支持可能な容器支持部と、環状封止部の一部の開封に基づいて、容器本体から流下する内容物を受け入れるべく容器支持部の下方に設けられた混合部とを備えた希釈用ボトルおよび飲料提供装置に関する。
【背景技術】
【０００２】
この種の希釈用ボトルに関連する先行技術文献情報として下記に示す特許文献１がある。この特許文献１に記された希釈用ボトルでは、例えば、予め混合部に水やお湯を入れておき、濃縮された飲料成分の液体が内容物として収納されたポーション容器を、蓋体が下になる反転姿勢で容器支持部にセットして、ポーション容器の底面を上から押していくと、ポーション容器内の内圧上昇によって蓋体の一部が開封され、内容物が自重で混合部に流れ落ちる。したがって、使用者はいつでも都合の良いタイミングで、しかも手を汚さずに、希釈用ボトルの中に適度に希釈された飲料物を得ることができる。もちろん、ポーション容器から内容物が混合部に流れ落ちた後で、適量の水やお湯を混合部に注ぎこむという使い方も可能である。
【先行技術文献】
【特許文献】
【０００３】
【特許文献１】特開２０１２−１３５５１８号公報（００１６〜００１７段落、００１９段落、図２）
【発明の概要】
【発明が解決しようとする課題】
【０００４】
しかし、特許文献１に記された希釈用ボトルでは、特に、不用意に開封される事態を避けるために容器本体の開口部と蓋体の間のシール力を高めれば高めるほど、大きな外力を容器本体へ加えなければ、蓋体の一部を開封させてポーション容器の内容物を排出させることができないという問題があった。
【０００５】
そこで、本発明の目的は、上に例示した従来技術が与える課題に鑑み、より小さな外力で蓋体の一部を開封させてポーション容器の内容物を排出させることの可能な希釈用ボトルを提供することにある。
【課題を解決するための手段】
【０００６】
本発明による希釈用ボトルの特徴構成は、
容器本体と蓋体とが前記容器本体の環状の開口部に沿って延びた環状封止部によって接合されたポーション容器を前記蓋体が下向きになる反転姿勢で支持可能な容器支持部と、前記環状封止部の一部の開封に基づいて、前記容器本体から流下する内容物を受け入れるべく前記容器支持部の下方に設けられた混合部とを備えた希釈用ボトルであって、
前記容器支持部が、ポーション容器を前記蓋体を介して支持するべく、前記環状封止部の周方向に沿って延びた支持面を有する点にある。
【０００７】
上記の特徴構成を備えた希釈用ボトルでは、環状封止部の周方向に沿って延びた支持面が、蓋体の全面を支持するのではなく、ポーション容器の主に環状封止部のみを支持することで、より小さな外力で蓋体の一部を開封させて内容物を排出開始させることが可能となった。
【０００８】
上記の特徴構成によって上述の効果が生じるのは、以下のようなメカニズムによるものと考えられる。
すなわち、ポーション容器を蓋体が下になる反転姿勢で容器支持部にセットして、ポーション容器の底面に適度な外力を与えると、内圧の上昇によって蓋体は下向きに膨らもうとする。しかし、もしも容器支持部の支持面が蓋体の大半に沿って延びた平面状であれば、蓋体の大半が支持面と密着した平面状に維持されることで、下向きに膨らみ難いので、外力によって上昇した内圧から蓋体に対して、蓋体をポーション容器の開口部から下向きに引き離す向きの応力成分が作用し難くなる。
【０００９】
他方、本発明による特徴構成を備えた希釈用ボトルでは、容器支持部が前記容器支持部の周方向に延びた支持面を有し、言い換えれば、ポーション容器の蓋体と接する箇所を持たないので、この蓋体の下向きに膨らもうとする動きが阻害され難く、自由に膨らみ易くなる。その結果、外力によって上昇した内圧から蓋体に対して、蓋体をポーション容器の開口部から下向きに引き離す向きの応力成分が作用し易くなるので、従来よりも小さな外力で蓋体の一部が開封されるという効果が得られる、と考えられる。
【００１０】
本発明の他の特徴構成は、
ポーション容器の前記環状封止部の前記一部には、前記容器本体内の圧力上昇に基づいて最初に開封される分離部が形成されており、
前記開口部の前記分離部と対応する位置には径方向内側に窪んだ被係合凹部が設けられており、
前記容器支持部の内面には、前記被係合凹部と係合すべく径方向内側に突出した突起部が形成されており、
前記支持面は前記突起部に向かって下降する傾斜面を構成している点にある。
【００１１】
本構成であれば、ポーション容器を容器支持部に設置する際には、ポーション容器の被係合凹部が容器支持部の突起部と係合するように設置すれば、必然的にポーション容器の分離部が傾斜した支持面の一番低い位置に来るので、分離部から排出される内容物が円滑に混合部に流れ落ちることになり、ポーション容器内に内容物が残留し難くなる。
【００１２】
本発明の他の特徴構成は、
前記支持面に支持されたポーション容器の前記容器本体を前記容器支持部に押し付けるように加圧及び変形するための加圧部材を有している点にある。
【００１３】
本構成であれば、加圧部材の作用によって、ポーション容器の容器本体が加圧、変形されることで、容器本体の内圧が上昇して、蓋体が開封され、引き続き、内容物の排出が開始されるので、使用者は手を汚すことなく内容物をカップその他の容器に受けることができる。
【００１４】
本発明の他の特徴構成は、前記容器支持部の上面と前記混合部とは、前記支持面の最も低い部位と対応するように設けられた上下連通路による連通状態にあり、
前記容器支持部の上面と前記混合部とは、前記上下連通路を除いて、横向きに延びた板状体によって遮蔽されている点にある。
【００１５】
本構成であれば、ポーション容器から排出された内容物は上下連通路を介して円滑に混合部に供給される。そして、容器支持部の上面と混合部とは、上下連通路を除いて、横向きに延びた板状体によって遮蔽されているので、ポーション容器を容器支持部にセットする際や内容物を排出させた後のポーション容器を容器支持部から回収する際に、ポーション容器が混合部に不用意に落下することが防がれる。
【００１６】
本発明による飲料提供装置の特徴構成は、
容器本体と蓋体とが前記容器本体の環状の開口部に沿って延びた環状封止部によって接合されたポーション容器を前記蓋体が下向きになる反転姿勢で支持可能な容器支持部と、前記環状封止部の一部の開封に基づいて、前記容器本体から流下する内容物を受けて混合する飲料提供装置であって、
前記容器支持部が、ポーション容器を前記蓋体を介して支持するべく、前記環状封止部の周方向に沿って延びた支持面を有する点にある。
【００１７】
上記の特徴構成を備えた飲料提供装置では、環状封止部の周方向に沿って延びた支持面が、蓋体の全面を支持するのではなく、ポーション容器の主に環状封止部のみを支持することで、より小さな外力で蓋体の一部を開封させて内容物を排出開始させることが可能となった。
【００１８】
本発明の他の特徴構成は、
ポーション容器の前記環状封止部の前記一部には、前記容器本体内の圧力上昇に基づいて最初に開封される分離部が形成されており、
前記開口部の前記分離部と対応する位置には径方向内側に窪んだ被係合凹部が設けられており、
前記容器支持部の内面には、前記被係合凹部と係合すべく径方向内側に突出した突起部が形成されており、
前記支持面は前記突起部に向かって下降する傾斜面を構成している点にある。
【００１９】
本構成であれば、ポーション容器を容器支持部に設置する際には、ポーション容器の被係合凹部が容器支持部の突起部と係合するように設置すれば、必然的にポーション容器の分離部が傾斜した支持面の一番低い位置に来るので、分離部から排出される内容物が円滑に混合部に流れ落ちることになり、ポーション容器内に内容物が残留し難くなる。
【００２０】
本発明の他の特徴構成は、前記支持面に支持されたポーション容器の前記容器本体を前記容器支持部に押し付けるように加圧及び変形するための加圧部材を有している点にある。
【００２１】
本構成であれば、加圧部材の作用によって、ポーション容器の容器本体が加圧、変形されることで、容器本体の内圧が上昇して、蓋体が開封され、引き続き、内容物の排出が開始されるので、使用者は手を汚すことなく内容物をカップその他の容器に受けることができる。
【００２２】
本発明の他の特徴構成は、前記容器支持部の上面と前記混合部とは、前記支持面の最も低い部位と対応するように設けられた上下連通路による連通状態にあり、
前記容器支持部の上面と前記混合部とは、前記上下連通路を除いて、横向きに延びた板状体によって遮蔽されている点にある。
【００２３】
本構成であれば、ポーション容器から排出された内容物は上下連通路を介して円滑に混合部に供給される。そして、容器支持部の上面と混合部とは、上下連通路を除いて、横向きに延びた板状体によって遮蔽されているので、ポーション容器を容器支持部にセットする際や内容物を排出させた後のポーション容器を容器支持部から回収する際に、ポーション容器が混合部に不用意に落下することが防がれる。
【００２４】
本発明の他の特徴構成は、水または温水を前記容器支持部の下方に向かって供給する希釈液供給機構を有する点にある。
【００２５】
本構成であれば、容器支持部の下方に配置されたカップなどに、ポーション容器の内容物と共に、水または温水が供給されるので、使用者が水または温水などの希釈液を別途カップに供給するまでもなく、適度に希釈された好適な飲料を入手できる。
【図面の簡単な説明】
【００２６】
【図１】希釈用ボトル（第１実施形態）と共に用いられるポーション容器を示す斜視図である。
【図２】本発明に係る希釈用ボトルの容器支持部を示す平面図である。
【図３】希釈用ボトルの容器支持部を示す破断斜視図である。
【図４】希釈用ボトルの加圧部材を示す斜視図である。
【図５】本発明に係る希釈用ボトルの作用を示す一部破断正面図である。
【図６】本発明に係る希釈用ボトルの作用を示す一部破断正面図である。
【図７】本発明に係る希釈用ボトルの作用を示す一部破断正面図である。
【図８】本発明に係る希釈用ボトルの作用を示す一部破断正面図である。
【図９】本発明に係る希釈用ボトルの作用を示す一部破断正面図である。
【図１０】本発明に係る希釈用ボトルの作用を示す一部破断正面図である。
【図１１】飲料提供装置（第２実施形態）の作用を示す一部破断正面図である。
【図１２】本発明に係る飲料提供装置の作用を示す一部破断正面図である。
【図１３】本発明に係る飲料提供装置の作用を示す一部破断正面図である。
【図１４】本発明に係る飲料提供装置の作用を示す一部破断正面図である。
【発明を実施するための形態】
【００２７】
以下に本発明を実施するための形態について図面を参照しながら説明する。
【００２８】
〔第１実施形態〕
図１は本発明に係る希釈用ボトルと共に用いられるポーション容器１の外観を示しており、本発明の第１実施形態である希釈用ボトル１０と、希釈用ボトル１０にセットされたポーション容器１とが図５などに示されている。
希釈用ボトル１０は、ポーション容器１と組み合わせて用いることで、ポーション容器１から排出された内容物Ｃを他の液体Ｌなどと容易に混合することができる。
【００２９】
（ポーション容器の構成）
図１に示すように、ポーション容器１は、液体状などの内容物Ｃを収納した有底で樹脂製の容器本体２と、同容器本体２の開口部を密閉状に閉じる樹脂製の蓋体９とを備え、容器本体２の少なくとも一部は外力によって容易に変形されるように構成されている。
【００３０】
容器本体２と蓋体９とは、容器本体２の開口部から径方向外側に延出されたフランジ５のフランジ面５Ａに沿って環状に形成された環状封止部６によって封止されている。
【００３１】
容器本体２の底面３などへの押し圧力によって、容器本体２の内容積が縮小するように容器本体２の一部が変形して、容器本体２内の圧力が臨界値に達すると、環状封止部６の一部で蓋体９がフランジ面５Ａから剥離することで開封が実現される。
【００３２】
尚、容器本体２に内容物Ｃと共に空気が存在する場合でも、以下に例示するように、ポーション容器１を蓋体９が下方となる反転姿勢とした状態で開封が行われれば、空気ではなく内容物Ｃが先行して排出される。
【００３３】
環状封止部６の所定箇所には、環状封止部６内の他の箇所よりも容器本体２の内圧上昇によって剥離され易い分離封止部６Ｓ（分離部の一例）が設けられている。したがって、容器本体２内の内圧上昇によってフランジ面５Ａから剥離する蓋体９の位置は必ずこの分離封止部６Ｓとなるため、使用者は排出される内容物Ｃが向かう方向を予測することができる。
【００３４】
分離封止部６Ｓは、開口部の径方向内側に向かって突出した逆向き環状封止部６Ａによって実現されており、開口部の周方向に沿って分離封止部６Ｓの左右外側には、分離封止部６Ｓに比べて充分に耐剥離性の高い非分離封止部６Ｄが形成されている。
【００３５】
容器本体２のフランジ５の一部には、径方向内側に窪んだ被係合凹部５Ｂ（被係合凹部５Ｂは平面視でのフランジ５の外形に窪みとして表出する）が形成されており、この被係合凹部５Ｂに対応するフランジ面５Ａの領域には、底面３に向かって窪んだ平面視で概して矩形の流出溝５Ｄ（流出溝５Ｄは正面視でのフランジ５の外形に窪みとして表出する）が形成されている。
【００３６】
この流出溝５Ｄは、分離封止部６Ｓが剥離した際に内容物Ｃが流出する流出路の役割を果たす。分離封止部６Ｓは平面視においてこれら被係合凹部５Ｂ及び流出溝５Ｄに対応した角度位置に配置されている。
尚、ポーション容器１を底面３が下になるように水平面に載置すると、分離封止部６Ｓや被係合凹部５Ｂが最も上方に配置されるように、フランジ５は底面３に対して傾斜して設けられている。
【００３７】
（希釈用ボトルの構成）
図５〜図１０に例示するように、希釈用ボトル１０は、ポーション容器１と比べて大きな内容量を持つ有底のボトル本体１１と、ボトル本体１１の上部に設けられた容器収納部１２と、容器収納部１２の内面に沿って上下に移動自在に支持された加圧部材２０とを有する。
【００３８】
（容器収納部の構成）
容器収納部１２は、ボトル本体１１の内部と連通した内部を有する円筒部１２Ａ（筒状体の一例）と、円筒部１２Ａの上下の中間位置から径方向外側に延出された円板状のフランジ部１２Ｂとを備えている。容器収納部１２は、フランジ部１２Ｂよりも下方の円筒部１２Ａの外周に形成された雄ネジ１２Ｓを介して、ボトル本体１１の上方にある開口部の内面に形成された雌ネジ部１１Ｓに螺合されている。
【００３９】
円筒部１２Ａの内側の下端付近には、ポーション容器１を蓋体９が下方を向いた反転姿勢で支持させるための容器支持部１３が設けられている。
容器支持部１３は、円筒部１２Ａの内面の所定位置から、円筒部１２Ａの軸心Ｘを挟んで同所定位置と対峙する位置（後述する第２係合突起部１６Ｂの位置）に向かって次第に低くなる傾斜支持面１４（支持面の一例）を備えている。
【００４０】
図２は、円筒部１２Ａの一部を水平に切った横断面図であり、円筒部１２Ａの内側に設けられた容器支持部１３が示されている。
図３には、軸心Ｘを通る垂直な切断面ＩＩＩ−ＩＩＩに基づく円筒部１２Ａの一部破断斜視図と、概して反転姿勢のポーション容器１とが示されている。
【００４１】
図２及び図３に示すように、傾斜支持面１４は、円筒部１２Ａの内面に沿って延びた環状を呈しており、水平面に対して比較的勾配の緩い第１環状支持面１４Ａ（第１支持面の一例）と、第１環状支持面１４Ａよりも急勾配とされた第２環状支持面１４Ｂ（第２支持面の一例）とを有する。
【００４２】
傾斜支持面１４の最も低い位置付近であり、第２環状支持面１４Ｂの径方向内側に相当する位置には、円筒部１２Ａの上方内部空間とボトル本体１１の内部下方に設けられた混合部１１Ｍとの間の連通状態を実現する上下連通路１５が形成されている。
容器支持部１３は、円筒部１２Ａの内面の周方向における一部から径方向内側に突出した係合突起１６を有する。係合突起１６は、上下連通路１５の径方向外側の位置で上下に延びている。
【００４３】
図３に示すように、第１環状支持面１４Ａは、円筒部１２Ａの軸心を挟んで係合突起１６と対向する円筒部１２Ａの内面から、係合突起１６に向かって次第に下がる平面状に延びている。第１環状支持面１４Ａの径方向内側部位は、第１環状支持面１４Ａよりも下方の位置で横向きに延びた板状体１４Ｃによって接続されている。
言い換えれば、容器支持部１３の上面と混合部１１Ｍとは、上下連通路１５を除いて板状体１４Ｃによって遮蔽されている。
【００４４】
前述した係合突起１６は、円筒部１２Ａの上端から下端まで上下に延びている。
より具体的には、係合突起１６は、円筒部１２Ａの上端から第１環状支持面１４Ａを含む仮想平面と円筒部１２Ａの内面とが交差して作られる円弧よりも僅かに上方の位置まで直線状に延びた第１係合突起部１６Ａと、前記円弧と交わる高さ位置で、第１係合突起部１６Ａよりも径方向内側に突出した第２係合突起部１６Ｂ（突起部の一例）と、第２係合突起部１６Ａよりも径方向外側に引退した第３係合突起部１６Ｃとを含む。
【００４５】
ポーション容器１のフランジ５にある被係合凹部５Ｂが第２係合突起部１６Ｂと係合する角度姿勢でポーション容器１を設置すれば、分離封止部６Ｓ及び流出溝５Ｄが上下連通路１５と一致するように構成されている。
【００４６】
図３に示すように、第２環状支持面１４Ｂは、基本的に第１環状支持面１４Ａの左右一対の端部どうしを周方向で接続するように延びているが、その周方向の中心付近に位置する係合突起１６によって、左右一対に分割されている。
【００４７】
これら左右一対の第２環状支持面１４Ｂは、平面状ではなく、第１環状支持面１４Ａの左右一対の端部から、先ず急角度で降下し、次第に緩やかとなり、最終的に水平に近い角度で第３係合突起部１６Ｃと接する湾曲状に延びている。
【００４８】
図２に示すように、前述した上下連通路１５は、第２環状支持面１４Ｂの径方向内側の平面視において概して円弧状の端部と、板状体１４Ｃの平面視において概して直線状の端面との間に形成されている。
【００４９】
（加圧部材の構成）
図６〜図９などに示すように、加圧部材２０は、容器収納部１２の円筒部１２Ａの内面に対して図２の上下方向に摺動自在に設けられたピストン状部材２１と、ピストン状部材２１の上面から上方に延出された棒状の支持軸２２と、支持軸２２の上端に取り付けられた概して円板状の操作片２３とを有する。
【００５０】
図４に示すように、ピストン状部材２１の上面は概して水平に延びており、ピストン状部材２１の下面は、上面と同様に概して水平に延びた平面状の加圧面２１Ａを構成している。
【００５１】
図４に示すように、ピストン体２１の外周面の一部には、上下方向に延びる係合凹部２１Ｂが形成されている。ピストン体２１の円筒部１２Ａの内面への挿入は、係合凹部２１Ｂが容器支持部１３の第１係合突起部１６Ａと係合した状態でのみ可能となっている。
【００５２】
（希釈用ボトルの操作方法）
図５に例示するように、ポーション容器１を正しい反転姿勢で容器支持部１３に載置すると、ポーション容器１の重心は第１環状支持面１４Ａの径方向内側に来るので、自然にポーション容器１はフランジ５上の蓋体９が第１環状支持面１４Ａに接し、底面３が概して水平となる姿勢を取る。
尚、上述した正しい反転姿勢とは、図５に示すように、蓋体９が下向きになり、フランジ５の被係合凹部５Ｂが容器支持部１３の第２係合突起部１６Ｂと係合した姿勢である。
【００５３】
図６は、ピストン体２１が、係合凹部２１Ｂを容器支持部１３の第１係合突起部１６Ａと係合させつつ、円筒部１２Ａの内面に挿入された状態を示す。
図６の状態から、使用者が操作片２３を介してピストン体２１を下方に押し下げていくと、先ず図７に例示するように、ポーション容器１の容器本体２が、ピストン状部材２１の加圧面２１Ａによって、底面３付近を中心として少しずつ変形され始める。
【００５４】
尚、上述した容器本体２の変形と同時に、容器本体２内の圧力上昇によって、蓋体９が内部から押されて、下方に突出した凸状に変形しようとするが、蓋体９の下面と板状体１４Ｃとの間には充分な厚さの自由空間Ｓが設けられているので、蓋体９は傾斜支持面１４などに邪魔されることなく自由に変形することができる。
【００５５】
このように、蓋体９が下方に突出した凸状に変形した状態では、蓋体９の全体が容器支持部によって平面状に維持された状態に比べて、容器本体２内で高まる圧力が、環状封止部６の全周において蓋体９をフランジ面５Ａから剥離させようとする向きの応力として働き易くなる。
【００５６】
この応力は、環状封止部６の中でも、特に分離封止部６Ｓ付近に、より具体的には、径方向内側に向かって突出した逆向き環状封止部６Ａに集中するため、ピストン体２１の更なる押し下げに基づいて、容器本体２内の圧力が臨界値に達すると、図８に例示するように、逆向き環状封止部６Ａを始点として分離封止部６Ｓの蓋体９がフランジ面５Ａから剥離し、内容物Ｃが排出され始める。
【００５７】
尚、ポーション容器１の分離封止部６Ｓは、第１環状支持面１４Ａや第２環状支持面１４Ｂや板状体１４Ｃではなく、開口部１５と上方から対向した状態が得られているので、蓋体９は容器支持部１３の構成部材などによって邪魔されることなく自由に剥離し、円滑な開封が行われる。
【００５８】
ピストン体２１を下方に押し下げる勢いが通常範囲内であれば、容器本体２内の圧力上昇による剥離は、分離封止部６Ｓの左右外側に設けられた非分離封止部６Ｄの手前で阻止されるので、容器本体２の内容物Ｃは、フランジ面５Ａに形成されている流出溝５Ｄと剥離された蓋体９との間から排出され、開口部１５を介して混合部１１Ｍ内に供給される。
【００５９】
加圧部材２０を更に押し下げていくと、図９に例示するように、容器本体２が上下方向に大きく収縮した座屈変形を受けることで、内容物Ｃの大半が容器本体２から確実に排出され、混合部１１Ｍ内に供給される。図９では、容器本体２の側壁部４の平均高さが原形の半分以下となっている。
【００６０】
加圧部材２０を最下方の位置まで押し下げると、図１０に例示するように、ポーション容器１の容器本体２は、加圧面２１Ａによって上下方向に更に収縮した座屈変形を受ける。同時に、フランジ面５Ａ及び蓋体のうちで開口部１５内に進入している部位が、第１環状支持面１４Ａの下方の端部付近を中心に下方に折り曲げられ、第３係合突起部１６Ｃに突入する形で開口部１５内に進入することで、座屈変形を受けたポーション容器１内に残っている僅かな内容物Ｃの大半も排出される。
【００６１】
座屈変形を受けたポーション容器１が不用意に混合部１１Ｍ内に落下することが、板状体１４Ｃによって防止されているので、加圧部材２０を円筒部１２Ａから抜き取ると、空になったポーション容器１を容器支持部１３から簡単に外部に回収することができる。
【００６２】
〔第２実施形態〕
図１１から図１４は、本発明の第２実施形態である飲料提供装置３０を示している。
飲料提供装置３０は、第１実施形態で説明したものと同様のポーション容器１と組み合わせて用いることで、ポーション容器１から排出された内容物Ｃを他の液体Ｌなどと容易に混合し、飲料を簡単に提供することができる。
【００６３】
飲料提供装置３０は、食卓その他の面上に設置可能な筐体状の支持部３１を有し、支持部３１の下端付近からは、空のカップＶなどを載置するための板状の受け部３２が前方に突出形成されている。
【００６４】
支持部３１の上方の側面からは、ポーション容器１を蓋体９が下向きになる反転姿勢で支持可能な容器支持部３３が、受け部３２と上下方向で向き合うように、やはり前方に突出形成されている。
【００６５】
この容器支持部３３は、第１実施形態における容器支持部１３と同様に、環状封止部６の周方向に沿って延びた支持面と、ポーション容器１のフランジ５の被係合凹部５Ｂと係合可能な係合突起部１６とを有し、前記支持面は係合突起部１６に向かって下降する傾斜支持面１４Ａ，１４Ｂとされている。
【００６６】
また、飲料提供装置３０には、傾斜支持面１４Ａ，１４Ｂに支持されたポーション容器１の容器本体２を容器支持部３３に押し付けるように加圧及び変形するための加圧部３４が設けられている。
【００６７】
加圧部３４には、第１実施形態と同様のピストン状部材２１と、ピストン状部材２１の一端に連結された支持軸２２を介して、ピストン状部材２１を往復移動させるシリンダ機構２６とが設けられている。
【００６８】
加圧部３４は、支持部３１の上端付近の側面に設けられた搖動操作部３６によって、支持部３１の上端付近に配置された水平軸心Ｙで、容器支持部３３が開放された開放位置と、容器支持部３３が加圧部３４によって閉鎖される閉鎖位置との間で搖動操作可能とされている。
【００６９】
また、支持部３１の内部には、着脱自在な希釈液タンク３８と、希釈液タンク３８内の冷水または温水からなる液体Ｌを送り出すためのポンプＰ（希釈液供給機構の一例）が設けられており、送り出された液体Ｌは、容器支持部３３の下端付近に設けられた供給ノズル４０を介して、受け部３２に載置されたカップＶの中に供給される。
【００７０】
（飲料提供装置の操作方法）
飲料提供装置３０によって飲料を作る際には、先ず、図１１に例示するように、予め冷水または温水を希釈液タンク３８に収納しておき、加圧部３４を開放位置にして（この操作は手動によって実施できる）、好みの濃縮飲料などが入ったポーション容器１を容器支持部３３に設置し、受け部３２に空のカップＶを載置する。
【００７１】
使用者が次に行うべき操作は、飲料提供装置３０の一部に配置されたスイッチ（不図示）を押し操作することだけである。
スイッチが押し操作されると、先ず、図１２に例示するように、搖動操作部４０によって加圧部３４が閉鎖位置に切り換えられ、ポンプＰによって適量の冷水または温水がカップＶに供給された後、引き続き、シリンダ機構２６によってピストン状部材２１が下方に移動される。
【００７２】
ピストン状部材２１が下方に移動される過程では、先ず、図１３に例示するように、ポーション容器１の座屈変形に基づく内圧上昇によって、環状封止部６の一部で蓋体９がフランジ面５Ａから剥離することで開封が実現されて、内容物Ｃが供給され始め、最終的に、図１４に例示するように、ピストン状部材２１が下死点まで押し下げられる。
【００７３】
図１４の状態では、ポーション容器１の容器本体２は、加圧面２１Ａによって上下方向に大きく収縮した座屈変形を受け、同時に、フランジ面５Ａ及び蓋体９のうちで開口部１５内に進入している部位が、第１環状支持面１４Ａの下方の端部付近を中心に下方に折り曲げられ、係合突起部１６に突入する形で開口部１５内に進入することで、座屈変形を受けたポーション容器１内に残っている僅かな内容物Ｃの大半も排出される。
【００７４】
ピストン状部材２１が下死点で一定時間（数秒間など）保持された後は、ピストン状部材２１がシリンダ機構２６によって上方位置に戻され、引き続き、搖動操作部４０によって加圧部３４が開放位置に切り換えられて、運転が終了される。
【００７５】
〔別実施形態〕
〈１〉容器支持部１２から板状体１４Ｃが省略され、第１環状支持面１４Ａの径方向内側まで開口部１５が拡張された形態で実施することも可能である。
【００７６】
〈２〉ポーション容器は内容物として液体を収納したものに限らず、蓋体９の一部が剥離してできた分離封止部６Ｓを介して容器本体２から流下可能な物質であれば、粉体や粒状物を収納したポーション容器であってもよい。
【００７７】
〈３〉第１環状支持面１４Ａよりも勾配が急な第２環状支持面１４Ｂを略し、ポーション容器の支持面が円筒部１２Ａの内面全周に渡って平面状に延びた形態で実施することも可能である。
【００７８】
〈４〉図１１から図１４に示す第２実施形態における、加圧部３４に対する搖動操作やピストン状部材２１の往復動作が、手動によって実現される形態で実施することも可能である。
【産業上の利用可能性】
【００７９】
本発明は、容器本体と蓋体とが容器本体の環状の開口部に沿って延びた環状封止部によって接合されたポーション容器を反転姿勢で支持可能な容器支持部と、蓋体の一部の開封に基づいて、容器本体から流下する内容物を受け入れるべく容器支持部の下方に設けられた混合部とを備えた希釈用ボトルに従来見られた課題を解決するための技術として利用可能な発明である。
【符号の説明】
【００８０】
Ｃ      内容物
Ｐ      ポンプ（希釈液供給機構）
１      ポーション容器
２      容器本体
３      底面
５      フランジ
５Ａ    フランジ面
５Ｂ    被係合凹部
６      環状封止部
６Ｓ    分離封止部（分離部）
９      蓋体
１０    希釈用ボトル
１１    ボトル本体
１１Ｍ  混合部
１２    容器収納部
１２Ａ  円筒部
１３    容器支持部
１４    傾斜支持面（支持面）
１４Ａ  第１環状支持面（第１支持面）
１４Ｂ  第２環状支持面（第２支持面）
１４Ｃ  板状体
１５    上下連通路
１６Ａ  第１係合突起部（柱状突起部）
１６Ｂ  第２係合突起部（突起部）
２０    加圧部材
２１    ピストン状部材
２１Ａ  加圧面
２１Ｂ  係合凹部
３０    飲料提供装置
３３    容器支持部
【図１】
2015127207.tif 000003
【図２】
2015127207.tif 000004
【図３】
2015127207.tif 000005
【図４】
2015127207.tif 000006
【図５】
2015127207.tif 000007
【図６】
2015127207.tif 000008
【図７】
2015127207.tif 000009
【図８】
2015127207.tif 000010
【図９】
2015127207.tif 000011
【図１０】
2015127207.tif 000012
【図１１】
2015127207.tif 000013
【図１２】
2015127207.tif 000014
【図１３】
2015127207.tif 000015
【図１４】
2015127207.tif 000016